(57)【特許請求の範囲】
【請求項１】
加入者局に関連付けられた基地局によって、１つのクラスタ内の複数のネットワークゲートウェイのうちあるネットワークゲートウェイに対して、前記加入者局にサービスを提供する前記複数のネットワークゲートウェイのうちの１つのネットワークゲートウェイに対するリクエストを含むネットワークゲートウェイ選択リクエストを送信する段階と、
前記複数のネットワークゲートウェイのうちあるネットワークゲートウェイから前記基地局によって、前記加入者局にサービスを提供する前記複数のネットワークゲートウェイのうちの、１つ以上のネットワーク状況に基づいて選択される前記１つのネットワークゲートウェイに関連付けられた情報を含むネットワークゲートウェイ選択応答を受信する段階と
を備え、
前記ネットワークゲートウェイ選択応答は、前記クラスタ内の前記複数のネットワークゲートウェイのうちの１つ以上のネットワークゲートウェイに関連付けられた負荷情報を含む、方法。
【請求項２】
前記複数のネットワークゲートウェイのうちのあるネットワークゲートウェイに対して前記ネットワークゲートウェイ選択リクエストを送信する段階は、前記複数のネットワークゲートウェイのうちの１つのデフォルトネットワークゲートウェイに対して前記ネットワークゲートウェイ選択リクエストを送信する段階を含む請求項１に記載の方法。
【請求項３】
前記複数のネットワークゲートウェイのうちのあるネットワークゲートウェイに対して前記ネットワークゲートウェイ選択リクエストを送信する段階は、前記複数のネットワークゲートウェイのうちの１つの仮想インターネットプルトコル（ＩＰ）アドレス（仮想ＩＰアドレス）に対して前記ネットワークゲートウェイ選択リクエストを送信する段階を含み、
前記仮想ＩＰアドレスは、１つのマスタネットワークゲートウェイに関連付けられている請求項１または請求項２に記載の方法。
【請求項４】
前記基地局によって、前記負荷情報に少なくとも一部基づいて、前記加入者局にサービスを提供する前記複数のネットワークゲートウェイのうちの前記１つのネットワークゲートウェイを選択する段階をさらに備える請求項１から請求項３のいずれか１つに記載の方法。
【請求項５】
前記基地局によって、前記負荷情報をキャッシュする段階と、
前記基地局によって、少なくとも別の１つのネットワークゲートウェイ選択応答を受信したことに応えて、前記キャッシュされた負荷情報を更新する段階と
をさらに備える請求項１から請求項４のいずれか１つに記載の方法。
【請求項６】
前記加入者局は、第１の加入者局であり、
前記基地局によって、前記１つ以上のネットワークゲートウェイに関連付けられた前記受信した負荷情報に少なくとも一部基づいて、第２の加入者局に対して前記複数のネットワークゲートウェイのうちの別の１つのネットワークゲートウェイを選択する段階をさらに備える請求項１から請求項５のいずれか１つに記載の方法。
【請求項７】
前記基地局によって、ネットワーク状況更新に基づいて、前記複数のネットワークゲートウェイのうちの１つのターゲットネットワークゲートウェイに対して、ネットワークゲートウェイリロケーションリクエストを送信する段階をさらに備え、
前記ターゲットネットワークゲートウェイは、前記複数のネットワークゲートウェイのうちの前記１つのネットワークゲートウェイとは異なり、
前記ターゲットネットワークゲートウェイは、前記加入者局にサービスを提供することにおいて、前記１つのネットワークゲートウェイの後を引き継ぐ請求項１から請求項６のいずれか１つに記載の方法。
【請求項８】
前記基地局によって、新たなネットワーク状況に少なくとも一部基づいて、前記複数のネットワークゲートウェイのうちの前記１つのネットワークゲートウェイから、ネットワークゲートウェイ更新リクエストを受信する段階をさらに備え、
前記ネットワークゲートウェイ更新リクエストは、前記加入者局へのサービスの提供を引き継ぐ前記複数のネットワークゲートウェイのうちのターゲットネットワークゲートウェイの識別子を含む請求項１から請求項７のいずれか１つに記載の方法。
【請求項９】
通信ネットワーククラスタのアクセスポイントからネットワークゲートウェイ選択リクエストを受信し、前記通信ネットワーククラスタの複数のネットワークゲートウェイのうちの１つ以上のネットワークゲートウェイから負荷情報を受信する通信ブロックと、
前記通信ブロックに結合され、前記負荷情報に基づいて、前記複数のネットワークゲートウェイのうちの前記１つ以上のネットワークゲートウェイから１つのネットワークゲートウェイを識別する識別部と
を備え、
前記通信ブロックはさらに、前記ネットワークゲートウェイ選択リクエストに応えて、前記通信ネットワーククラスタの前記アクセスポイントに対して、ネットワークゲートウェイ選択応答を送信し、
前記ネットワークゲートウェイ選択応答は、前記ネットワークゲートウェイの指標および負荷情報を含む
ネットワークゲートウェイ。
【請求項１０】
前記通信ブロックは、第１のインターフェースを介して、前記ネットワークゲートウェイ選択リクエストを受信し、第２のインターフェースを介して、前記負荷情報を受信する請求項９に記載のネットワークゲートウェイ。
【請求項１１】
前記識別部に結合され、ネットワークゲートウェイリロケーションを始動するリロケーションハンドラをさらに備え、
前記ネットワークゲートウェイリロケーションは、前記複数のネットワークゲートウェイのうちの別の１つのネットワークゲートウェイと前記アクセスポイントとを関連付ける請求項９または請求項１０に記載のネットワークゲートウェイ。
【請求項１２】
前記リロケーションハンドラは、別の１つのネットワークゲートウェイが前記通信ネットワーククラスタに入ったことを判定したことに応えて、前記ネットワークゲートウェイリロケーションを始動する請求項１１に記載のネットワークゲートウェイ。
【請求項１３】
前記リロケーションハンドラは、前記ネットワークゲートウェイが過負荷であることを判定したことに応えて、前記ネットワークゲートウェイリロケーションを始動する請求項１１または請求項１２に記載のネットワークゲートウェイ。
【請求項１４】
前記リロケーションハンドラは、前記通信ブロックが前記アクセスポイントからリロケーションリクエストを受信したことに応えて、前記ネットワークゲートウェイリロケーションを始動する請求項１１から請求項１３のいずれか１つに記載のネットワークゲートウェイ。
【請求項１５】
サービス提供基地局からターゲット基地局によって、前記サービス提供基地局に関連付けられた、通信ネットワークの複数のネットワークゲートウェイのうちの１つであるネットワークゲートウェイのインターネットプルトコル（ＩＰ）アドレスを含むハンドオフリクエストを受信する段階と、
前記ターゲット基地局によって、前記ハンドオフリクエストに応えて、前記ネットワークゲートウェイに前記ターゲット基地局を登録するために、前記複数のネットワークゲートウェイのうちの前記１つのネットワークゲートウェイに対して、登録メッセージを送信する段階と、
前記ターゲット基地局によって、前記複数のネットワークゲートウェイの別の１つのネットワークゲートウェイに対して、ネットワークゲートウェイ選択リクエストを送信する段階と、
前記ターゲット基地局によって、ネットワークゲートウェイ選択応答を受信する段階と、
を備え、
前記ネットワークゲートウェイ選択リクエストは、前記ネットワークゲートウェイを引き継ぐ前記複数のネットワークゲートウェイのうちの新たなネットワークゲートウェイに対するリクエストを含み、
前記ネットワークゲートウェイ選択応答は、前記複数のネットワークゲートウェイのうちの少なくとも１つのネットワークゲートウェイに対する負荷情報を含む、方法。
【請求項１６】
前記登録メッセージを送信する段階は、Ｒ６シグナリングを介して、前記登録メッセージを送信する段階を備え、
前記ネットワークゲートウェイは、前記Ｒ６シグナリングを介して、前記登録メッセージを受信する請求項１５に記載の方法。
【発明の詳細な説明】
【技術分野】
【０００１】
本願の形態は、通信ネットワーク分野に関し、特に、ブロードバンド無線アクセス通信ネットワークにおけるネットワークゲートウェイ選択及び負荷分配に関する。
【背景技術】
【０００２】
ブロードバンド無線ネットワークは、無線高速通信を可能にする、連続した共存、すなわちオーバーラップ技術を含む。その中の１つの技術として、ワイマックス（Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ／ＷｉＭＡＸ）は、長距離範囲無線ネットワーキング能力を提供するために開発された。ＷｉＭＡＸは、米国電気電子学会（ＩＥＥＥ）８０２．１６規格（例えば、２００９年５月１３日に認証されたＩＥＥＥ８０２．１６−２００９）に関連した規格を示す一般名と言える。
【０００３】
一般的に、ＷｉＭＡＸネットワークにおいては、加入者局は、初期ネットワークエントリ（ＩＮＥ）の間、基地局（ＢＳ）に帰属するものである。帰属の後で、ＢＳは、加入者局にサービスを提供するために、アクセスサービスネットワークゲートウェイ（ＡＳＮ−ＧＷ）等のデフォルトネットワークゲートウェイを選択し得る。デフォルトＡＳＮ−ＧＷは、例えばＡＳＮ−ＧＷの製造者等の、多様な基準に基づいて割り当てられ得る。加入者局に対するＡＳＮ−ＧＷの固定割り当ては、ネットワークの非効率な配置、使用及び制御につながり得る。
【０００４】
さらに、加入者局が、１つのＢＳに関連付けられたセルから別のものへ移動した場合に、その新たなＢＳは、別のネットワークゲートウェイを選択し得る。この新たなネットワークゲートウェイは、何よりもサービスフローをリトリーブするために、アンカーとして機能する最初に選択されたネットワークゲートウェイと通信し得る。このイントラネットワークゲートウェイ通信、又は、Ｒ４シグナリングは、階層構造に依存しており、これにより効率性及び帯域幅がまた損なわれ得る。
【図面の簡単な説明】
【０００５】
添付の図面とともに以下の詳細の記載によって複数の実施形態を容易に理解できるであろう。複数の実施形態は、添付図面の図中の限定によってではなく例として説明される。
【図１】多様な形態に準じたネットワークのブロック図を示す。
【図２】多様な形態に準じた装置のブロック図を示す。
【図３】多様な形態に準じた１つのシグナリング図を示す。
【図４】多様な形態に準じた１つのシグナリング図を示す。
【図５】多様な形態に準じた１つのシグナリング図を示す。
【図６】多様な形態に準じた１つのシグナリング図を示す。
【図７】多様な形態に準じた１つのシグナリング図を示す。
【図８】本開示の多様な形態に準じた別のシグナリング図を示す。
【発明を実施するための形態】
【０００６】
以下の詳細の記載において、当詳細の記載の一部を形成し、実施され得る実施例によって示される添付の図面に対して説明がされる。範囲を逸脱しない範囲において、その他の形態が利用され得ること、構造的又は論理的変更がなされ得ることを理解されたい。従って、以下の詳細の記載は、限定的意味として解釈されるのではなく、複数の形態の範囲は、添付の請求項及びそれらの同等物によって規定される。
【０００７】
複数の形態の理解を助けるであろう方法で、多様な動作が、複数の別個の動作として順に記載され得るが、記載の順序は、これらの動作が順序依存であることを意味しているのではなく、また、記載された全ての動作が本形態に対して必須ではない。
【０００８】
「結合される」及び「接続される」との用語が、それらの派生語とともに用いられ得る。これらの用語は互いに同義語であることを意図しているわけではないことを理解されたい。むしろ、特定の形態においては、「接続される」との用語は、２つ以上の要素が互いに直接物理的接触又は電気的接触されていることを示すために用いられ得る。「結合される」との用語は、２つ以上の要素が直接物理的接触又は電気的接触されていることを示すために用いられ得る。しかしながら、「結合される」との用語はまた、２つ以上の要素が互いに直接接触してはいないが、互いに協働又は相互作用することを意味し得る。
【０００９】
説明の目的で、「Ａ／Ｂ」又は「Ａ及び／又はＢ」形式の表現は、（Ａ）、（Ｂ）又は（Ａ及びＢ）を意味する。説明の目的で、「Ａ、Ｂ及びＣの少なくとも１つ」形式の表現は、（Ａ）、（Ｂ）、（Ｃ）、（Ａ及びＢ）、（Ａ及びＣ）、（Ｂ及びＣ）又は（Ａ、Ｂ及びＣ）を意味する。説明の目的で、「（Ａ）Ｂ」形式の表現は、（Ｂ）又は（ＡＢ）を、つまり、Ａが選択的要素であることを意味する。
【００１０】
本記載において、「形態」又は「複数の形態」が用いられ得、それぞれは、１つ以上の同じ又は異なる複数の形態を参照してもよい。さらに、複数の形態に関連して用いられる「備える」、「含む」及び「有する」等の用語は、同義語である。
【００１１】
多様な形態において、効率的ネットワークゲートウェイ選択、負荷バランシング及び通信ネットワーク内のデータパス最適化のための方法、装置及びシステムが開示される。多様な形態において、創造的ネットワーク配置、効率的ネットワークゲートウェイ負荷バランシング及び過負荷制御を可能にし得る複数の通信が開示される。本発明は、ネットワーク設計複雑性を低減し、マルチベンダ相互運用性を促進し得る。複数の実施例においては、１つのコンピューティングシステムが、開示された複数の装置及び／又は複数のシステムの１つ以上の構成要素を備えてもよく、ここに開示された１つ以上の方法を実行するために用いられてもよい。
【００１２】
ここに記した複数の形態は、ダイナミック選択、及び、ネットワークゲートウェイと加入者局との関連付けを可能にする。多様な形態において、基地局等のアクセスポイントは、関連したクラスタ内のアクセスサービスネットワークゲートウェイ（ＡＳＮ−ＧＷ）等の１つ以上のネットワークゲートウェイと通信してもよい。当通信に基づいて、基地局は、加入者局にサービスを提供する目的で、適切なネットワークゲートウェイの選択を決定してもよく、及び／又は、適切なネットワークゲートウェイの選択を受信してもよい。適切なネットワークゲートウェイの決定は、ネットワークゲートウェイ、あるいは、基地局によって実行され得る１つ以上の最適化アルゴリズムを通してなされてもよい。多様な形態において、ネットワークゲートウェイは、基地局に関連したセルに入った際、加入者局がセルから去った際、又は負荷バランシングを必要とする際に、加入者局に割り当てられてもよい。
【００１３】
ここでの複数の形態はまた、通信ネットワークの１つ以上の構成要素間のデータパス最適化を可能にし得る。例えば、１つの考えられるデータパスが、アンカーネットワークゲートウェイと順に通信するサービス提供ネートワークゲートウェイと通信するサービス提供基地局として一般的に記述されてもよい。アンカーネットワークゲートウェイは、以前のサービス提供基地局によって加入者局に割り当てられていてもよく、サービス提供ネットワークゲートウェイは、現行のサービス提供基地局によって割り当てられていてもよい。そのようなシナリオは、ハンドオーバの場合に生じ得る。サービス提供ネットワークゲートウェイとアンカーネットワークゲートウェイとの間の通信リンクは、冗長通信リンクであってもよく、多様な形態において、現行のサービス提供基地局をアンカーネットワークゲートウェイと直接通信させることによって取り除かれてもよい。このデータパス最適化は、アンカーネットワークゲートウェイ、サービス提供ネットワークゲートウェイ、サービス提供基地局、又はここでより詳細に説明されるような通信システム内の多様な他の構成要素によって始動されてもよい。この相互運用性によって、イントラネットワークゲートウェイ通信の必要性を低減し得る。
【００１４】
図１に、多様な形態に準じた通信ネットワークのブロック図を示す。通信ネットワーク１００は、ＷｉＭＡＸネットワークであってもよいが、当業者であれば、ここに開示した教示は他の通信ネットワークにも適用され得ることは容易に理解できるであろう。通信ネットワーク１００は、クラスタ１０２及び１０４と、例えば、基地局１０８ａ〜ｄ、ネットワークゲートウェイ１０６ａ〜ｄ及び加入者局１１０等のネットワークアクセスポイントとを備えてもよい。通信ネットワーク１００は、本開示の範囲を逸脱しない範囲において、図示されたものに加えてその他の構成要素を備えてもよい。
【００１５】
通信ネットワーク１００は、クラスタ１０２及び１０４を備える。２つのクラスタを図示しているが、本発明は、２つよりも多い又は少ないクラスタを備える通信ネットワークに適用可能であろう。多様な形態において、クラスタは、１つ以上の構成要素であり、例えば、特定の配置シナリオのドメインに属する１つ以上のネットワークゲートウェイであってもよい。クラスタは、ネットワーク構成に応じて、オーバーラップ又は非オーバーラップクラスタであってもよく、ページンググループ、認証ドメイン、モビリティドメイン又はその他のネットワーク特性に基づいたものであってもよい。図示したとおり、クラスタ１０２は、１つ以上のネットワークゲートウェイ１０６ａ〜ｂを備えてもよい。クラスタ１０４は、１つ以上のネットワークゲートウェイ１０６ｃ〜ｄを備えてもよい。クラスタ１０２及び１０４は、本開示の範囲を逸脱しない範囲において、より多い又はより少ないネットワークゲートウェイを備えてもよい。さらに、多様な形態において、ネットワークゲートウェイ１０６ａ〜ｄは、ＡＳＮ−ＧＷであってもよいが、本開示は、このような形態に限定されるものではない。
【００１６】
多様な形態において、クラスタ１０２及び１０４はまた、基地局１０８ａ〜ｄ等の１つ以上のネットワークアクセスポイントを備えてもよい。基地局１０８ａ〜ｄは、特定のクラスタに割り当てられてもよい。例えば、基地局１０８ａ〜ｂは、クラスタ１０２に関連付けられ、基地局１０８ｄは、クラスタ１０４に関連付けられ、基地局１０８ｃは、クラスタ１０２及び１０４の両方に関連付けられてもよい。多様な形態において、任意の基地局１０８ａ〜ｄは、そのクラスタ内の任意のネットワークゲートウェイ１０６ａ〜ｄと通信してもよい。図示した形態においては、基地局１０８ａ〜ｂは、ネットワークゲートウェイ１０６ａ又は１０６ｂと通信してもよく、基地局１０８ｄは、ネットワークゲートウェイ１０６ｃ又は１０６ｄと通信してもよい。基地局１０８ｃは、両方のクラスタに関連付けられてもよいので、基地局１０８ｃは、ネットワークゲートウェイ１０６ａ〜ｄの何れかと通信してもよい。
【００１７】
基地局ａ〜ｄとネットワークゲートウェイ１０６ａ〜ｄとの間の通信１１２は、Ｒ６シグナリングを含んでもよい。図示されていないが、本開示の範囲を逸脱しない範囲において、その他のシグナリングがまた、通信ネットワーク内に利用されてもよい。これは、以下に限定されないが、加入者局と基地局との間のＲ１シグナリング、加入者局と接続サービスネットワーク（ＣＳＮ）との間のＲ２シグナリング、アクセスサービスネットワーク（ＡＳＮ）とＣＳＮとの間のＲ３シグナリング、２つのネットワークゲートウェイ間のＲ４シグナリング、２つのＣＳＮ間のＲ５シグナリング、１つのネットワークゲートウェイ内のデータと制御プレーンとの間のＲ７シグナリング、及び、２つの基地局間のＲ８シグナリングを含んでもよい。本開示の範囲を逸脱しない範囲において、その他の通信が通信ネットワーク１００を介して送信されてもよい。
【００１８】
図１に戻ると、例えば、加入者局１１０が、基地局１０８ａのセル範囲内にあるとき、加入者局１１０は、基地局１０８ａと通信してもよい。多様な形態において、加入者局１１０は、ラップトップコンピュータ、ＰＤＡ、ネットトップ、ネットブック、スマートフォン、又は、多様なセル範囲の中及び外において移動可能であるその他の無線デバイス等の移動体加入者局１１０であってもよい。あるいは、加入者局１１０は、デスクトップコンピュータ、又は、主に固定位置にとどまるその他の通信デバイス等の固定加入者であってもよい。本開示は、このような形態には限定されない。
【００１９】
加入者局１１０は、当技術分野で周知の任意の通信プルトコルを用いて基地局１０８ａ〜ｄと通信してもよい。例えば、１つの形態では、加入者局１１０は、直交周波数分割多重（ＯＤＦＭ）及び直交周波数分割多重アクセス（ＯＦＤＭＡ）を利用して基地局１０８ａと通信してもよい。ＯＦＤＭは、複数の信号を並列に同時に伝送するために複数の周波数を用いるマルチキャリア伝送技術である。相互キャリア干渉（ＩＦＩ）を無くすために信号が互いに直交するように、信号は処理され得る。多様な形態において、加入者局１１０は、インターネット等のインターネットプルトコル（ＩＰ）ネットワークと接続するために、基地局１０８ａ及びネットワークゲートウェイ１０６ａと通信してもよい。
【００２０】
図２に、多様な形態に準じた装置のブロック図を示す。装置は、ネットワークゲートウェイ１０６ａ〜ｄ内に含まれてもよく、あるいは、動作可能な別個の装置であってもよく、及び／又は、ネットワークゲートウェイ１０６ａ〜ｄに通信的に結合されてもよい。装置は、少なくとも第１のインターフェース２０８及び第２のインターフェース２１０を有する通信ブロック２０２と、識別部２０４と、リロケーションハンドラ２０６とを備えてもよい。本開示の範囲を逸脱しない範囲において、装置１０６は、より多い又はより少ない構成要素を含んでもよい。
【００２１】
通信ブロック２０２が第１のインターフェース２０８及び第２のインターフェース２１０を備えることを図示しているが、本開示の範囲を逸脱しない範囲において、通信ブロック２０２は、より多い又はより少ないインターフェースを含んでもよい。多様な形態において、インターフェース２０８、２１０は、通信ネットワーク１００の多様な構成要素と通信するために利用されてもよい。インターフェース２０８、２１０は、例えばＲ１〜Ｒ８シグナリング等の先に述べたようなシグナリングタイプの何れかを介して通信するために構成されたインターフェースであってもよい。または、インターフェース２０８及びインターフェース２１０は、別個のインターフェースとして図示されているが、代わりの方法として、ネットワーク１００の多様な構成要素と通信することができる単一のインターフェースであってもよい。
【００２２】
多様な形態において、インターフェース２０８は、クラスタ１０２、１０４内の１つ以上の基地局１０８ａ〜ｄと通信するために構成されたＲ６インターフェースであってもよい。Ｒ６シグナリングは、イントラＡＳＮトンネルを実施してもよく、及び、制御プレーンシグナリングのために用いられてもよい。また、インターフェース２１０は、Ｒ４インターフェースであってもよく、例えばネットワークゲートウェイ１０６ａ〜ｄ等の１つ以上のネットワークゲートウェイと通信するために構成されてもよい。Ｒ４シグナリングは、通信ネットワーク１００の多様なネットワークゲートウェイにわたる加入者局１１０の移動性を促進し得る。
【００２３】
多様な形態において、通信ブロック２０２は、通信ネットワーククラスタ１０２、１０４のアクセスポイントからネットワークゲートウェイ選択リクエストを受信するため、及び、通信ネットワーククラスタの複数のネットワークゲートウェイのうちの１つ以上のネットワークゲートウェイから負荷情報を受信するために構成されてもよい。例えば、ネットワークゲートウェイ１０６ａの通信ブロック２０２は、第１のインターフェース２０８を介して基地局１０８ａからネットワークゲートウェイ選択リクエストを、及び、第２のインターフェース２１０を介してネットワークゲートウェイ１０６ｂから負荷情報を受信してもよい。
【００２４】
また、多様な形態において、通信ブロック２０２は、ネットワークゲートウェイ選択リクエストに応えて、ネットワークゲートウェイ選択応答を、通信ネットワーククラスタのアクセスポイントに送信するために構成されてもよい。ネットワークゲートウェイ選択応答は、加入者局１１０にサービスを提供するために用いられるネットワークゲートウェイの指標を含んでもよい。我々の上記例に続き、ネットワークゲートウェイ１０６ａの通信ブロック２０２は、基地局１０８ａ等のアクセスポイントに対してネットワークゲートウェイ選択応答を送信するために構成されてもよい。多様な構成要素間のシグナリングについて、１つ以上の信号図を参照してここでさらに説明する。
【００２５】
多様な形態において、図２に示された装置はまた、識別部２０４を含んでもよい。識別部２０４は、通信ブロック２０２に結合されてもよく、負荷情報に基づいて、複数のネットワークゲートウェイ１０６ａ〜ｄのうちの１つ以上のネットワークゲートウェイ１０６ａ〜ｂから望ましいネットワークゲートウェイ、例えばネットワークゲートウェイ１０６ａを識別するために構成されてもよい。１つの形態では、識別部２０４は、ネットワークゲートウェイ１０６ａが、クラスタ１０２内のその他のネットワークゲートウェイと比べて比較的小さい負荷を有することに基づいて、ネットワークゲートウェイ１０６ａを望ましいネットワークゲートウェイとして識別してもよい。ネットワークゲートウェイ選択リクエストに応えて、ネットワークゲートウェイ１０６ａを望ましいネットワークゲートウェイとして識別することにより、クラスタ１０２内のその他のネットワークゲートウェイが過負荷になるのを防ぎ得、通信ネットワーク１００にわたってより均等に広帯域トラフィックを分配し得る。
【００２６】
引き続き図２を参照すると、多様な形態に準じて、装置はまた、リロケーションハンドラ２０６を含んでもよい。リロケーションハンドラ２０６は、識別部２０４に結合されてもよく、ネットワークゲートウェイリロケーションを始動するために構成されてもよい。ネットワークゲートウェイリロケーションは、別のネットワークゲートウェイ、例えば、複数のネットワークゲートウェイ１０６ａ〜ｂのうちのネットワークゲートウェイ１０６ｂとアクセスポイントとを関連付ける。ネットワークゲートウェイリロケーションは、複数のネットワークゲートウェイ又は複数のアクセスポイントの１つが、新たなネットワークゲートウェイ（図示せず）が通信ネットワーククラスタに入ったことを判定すること、現行使用されているネットワークゲートウェイが過負荷であることを判定すること、又は、例えば基地局１０８ａ〜ｄ等のアクセスポイントからリロケーションリクエストを受信することによって始動されてもよい。多様な形態では、リロケーションハンドラ２０６は、加入者局１１０の初期ネットワークエントリの後で、ネットワークリソースの適切な割り当てを確保してもよい。
【００２７】
多様な形態において、基地局１０８ａ〜ｄ等のアクセスポイントはまた、装置１０６の構成要素と概して同様な構成要素を含んでもよい。例えば、基地局１０８ａは、通信ネットワーク１００のその他の構成要素と通信するために１つ以上のインターフェースを有する通信ブロックと、加入者局１１０にサービスを提供する複数のネットワークゲートウェイから１つ以上のネットワークゲートウェイ１０６ａ〜ｂを識別するために構成された識別部と、リロケーションハンドラとを備えてもよい。基地局１０８ａ〜ｄは、多様な加入者局１１０に対する効率的ネットワークゲートウェイ分配を決定するための１つ以上の最適化アルゴリズムを利用してもよい。
【００２８】
図３〜８に、多様な形態に準じた、シグナリング図を示す。信号図は、図１に示した通信ネットワーク１００等の通信ネットワークの構成要素間で伝送される多様な信号を示す。信号は、効率的ネットワークゲートウェイ選択、負荷バランシング、及び多様なリソースのリロケーションを促進し得、例えば、信号を送信する加入者局等といった、方法又は処理の観点から表現され得る。多様な形態において、基本的方法又は処理は、揮発性又は不揮発性メモリ若しくはその他のマスストレージデバイス等の機械アクセス可能メディアの任意の組み合わせ上に格納された多くの異なるプログラミングコードの何れかを利用した機械アクセス可能命令として実行されてもよい。例えば、機械アクセス可能命令は、プログラマブルゲートアレイ、特定用途向け集積回路（ＡＳＩＣ）、消去可能プログラマブルＲＯＭ（ＥＰＲＯＭ）、読み出し専用メモリ（ＲＯＭ）、ランダムアクセスメモリ（ＲＡＭ）、磁気媒体、光学媒体、及び／又はその他の適した種類の媒体等の機械アクセス可能メディア内に具現化されてもよい。
【００２９】
図３に、多様な形態に準じた、シグナリング図を示す。シグナリング図は、例えば通信ネットワーク１００等の通信ネットワークの構成要素間の多様な通信を示している。多様な形態において、図３は、初期ネットワークエントリの際の、例えば、加入者局がＷｉＭＡＸネットワークに対して初期ネットワークエントリをしたときの、加入者局に対するネットワークゲートウェイ選択を示し得る。そのようなエントリの間は、加入者局は、基地局１０８ａ等のアクセスポイントに帰属してもよい。多様な形態において、基地局１０８ａはその時に、ネットワークゲートウェイ１０６ａ等のネットワークゲートウェイを選択してもよい。
【００３０】
多様な形態において、加入者局は、基地局を相手に初期通信３０１、３０２を行なってもよい。多様な形態において、初期通信３０１、３０２は、ダウンリンクチャンネル収集、メディアアクセスコントロール（ＭＡＣ）シンクロナイゼーション、アップリンクチャンネルパラメータの取得、初期レンジング実行、及び／又は物理（ＰＨＹ）層調整を含んでもよい。本開示の範囲を逸脱しない範囲において、その他の通信がまた含まれてもよい。
【００３１】
通信３０３において、加入者局の基本性能を探る目的で、加入者局は、加入者局基本性能リクエスト（ＳＢＣ−ＲＥＱ）メッセージを基地局に送信してもよい。ＭＡＣメッセージであり得る通信３０３は、加入者局によってサポートされるコード体系及び変調に関する情報を含んでもよい。加入者局からＳＢＣ−ＲＥＱメッセージを受信すると、基地局は、３０３としてまた示されている加入者局基本性能応答（ＳＢＣ−ＲＳＰ）メッセージを加入者局に送信してもよい。ＳＢＣ−ＲＳＰ３０３は、加入者局によってサポートされるコード体系及び変調を確認した後に、基地局によって送信されてもよい。
【００３２】
多様な形態において、基地局は、ＡＳＮ−ＧＷ等のネットワークゲートウェイと通信してもよい。通信３０４は、ネットワークゲートウェイ選択リクエスト３０３ａ及びネットワークゲートウェイ選択応答３０３ｂを含んでもよい。これらの通信３０４は、効率的ネットワークゲートウェイ選択を可能にし得る。例えば、加入者局１１０と関連付けられた基地局１０８ａは、クラスタ１０２内の複数のネットワークゲートウェイ１０６ａ〜ｂのうちのネットワークゲートウェイ１０６ａにネットワークゲートウェイ選択リクエスト３０３ａを送信してもよい。ネットワークゲートウェイ選択リクエスト３０３ａは、加入者局１１０にサービスを提供するクラスタ１０２内の複数のネットワークゲートウェイ１０６ａ〜ｂのうちのネットワークゲートウェイ１０６ａ又は１０６ｂの何れか１つを選択するリクエストを含んでもよい。１つの形態においては、ネットワークゲートウェイ選択リクエスト３０３ａは、複数のネットワークゲートウェイのうちのデフォルトネットワークゲートウェイに送信されてもよい。デフォルトネットワークゲートウェイは、そのインターネット（ＩＰ）アドレスによって識別されてもよい。あるいは、ネットワークゲートウェイ選択リクエスト３０３ａは、複数のネットワークゲートウェイ１０６ａ〜ｂの仮想インターネットプルトコル（ＩＰ）アドレスに対して送信されてもよい。多様な形態において、仮想ＩＰアドレスは、複数のネットワークゲートウェイ１０６ａ〜ｂのうちのマスタネットワークゲートウェイにマップされてもよい。
【００３３】
ネットワークゲートウェイリクエスト３０３ａに応えて、基地局は、ネットワークゲートウェイ選択応答３０３ｂを受信してもよい。ネットワークゲートウェイ選択応答３０３ｂは、加入者局１１０にサービスを提供するクラスタ内の複数のネットワークゲートウェイのうちの少なくとも１つのネットワークゲートウェイに関連付けられた情報を含んでもよい。
【００３４】
例えば、１つの形態においては、基地局１０８ａは、識別子、例えば、クラスタ１０２内の全てのネットワークゲートウェイ１０６ａ〜ｂのＩＰアドレスを含んでもよい。基地局１０８ａは、クラスタ１０２内の複数のネットワークゲートウェイ１０６ａ〜ｂの１つに対してネットワークゲートウェイ選択リクエスト３０３ａを送信してもよい。上記１つのネットワークゲートウェイは、１つ以上の方法で選択されたデフォルトネットワークゲートウェイであってもよい。それに応じて、基地局１０８ａは、デフォルトネットワークゲートウェイ１０６ａからネットワークゲートウェイ選択応答３０３ｂを受信してもよい。ネットワークゲートウェイ選択応答３０３ｂは、デフォルトネットワークゲートウェイ１０６ａと関連付けられた負荷情報を含んでもよい。多様な形態において、ネットワークゲートウェイ選択応答３０３ｂは、クラスタ１０２内のネットワークゲートウェイ１０６ｂごとに対して負荷情報を含んでもよい。この負荷情報に基づいて、基地局１０８ａは、加入者局１１０にサービスを提供する複数のネットワークゲートウェイ１０６ａ〜ｂのうちの１つのネットワークゲートウェイを選択するためにアルゴリズム又はその他の処理を利用してもよい。
【００３５】
多様な形態において、基地局１０８ａはまた、この負荷情報をキャッシュしてもよく、その他のネットワークゲートウェイ選択応答の受信に基づいて、キャッシュされた負荷情報を更新してもよい。これにより、追加の複数の加入者局は、デフォルトネットワークゲートウェイ又はその他のネットワークゲートウェイ１０６ａ〜ｂとさらなる通信をすることなしに基地局１０８ａのセル領域に入ったときに、追加の複数の加入者局に対して複数のネットワークゲートウェイ１０６ａ〜ｂのうちの別のネットワークゲートウェイを選択することを基地局１０８ａはできるであろう。
【００３６】
別の形態においては、基地局１０８ａは、複数のネットワークゲートウェイ１０６ａ〜ｂの１つの仮想ＩＰアドレスに対してネットワークゲートウェイ選択リクエスト３０３ａを送信してもよい。複数のネットワークゲートウェイ１０６ａ〜ｂの仮想ＩＰアドレスは、マスタネットワークゲートウェイにマップされてもよい。その結果、基地局は、どのネットワークゲートウェイがマスタネットワークゲートウェイとして機能しているか気付かないであろうから、このため、基地局に影響を及ぼすことなく、マスタネットワークゲートウェイを定期的に変更し得る。
【００３７】
ネットワークゲートウェイ選択リクエスト３０３ａの送信に応えて、基地局１０８ａは、加入者局１１０にサービスを提供する複数のネットワークゲートウェイ１０６ａ〜ｂのうちの特定のネットワークゲートウェイの識別を含むマスタネットワークゲートウェイからネットワークゲートウェイ選択応答３０３ｂを受信してもよい。指標は、ネットワークゲートウェイのインターネットプルトコル（ＩＰ）アドレスであってもよい。このようにして、マスタネットワークゲートウェイは、多様なネットワークゲートウェイ１０６ａ〜ｂのうちから、加入者局１１０にサービスを提供するのに最も効率的なネットワークゲートウェイを決定及び選択し得る。多様な形態において、マスタネットワークゲートウェイは、クラスタ１０２の多様なネットワークゲートウェイ１０６ａ〜ｂから、負荷情報等の情報を受信してもよく、ネットワークゲートウェイ選択の決定のための最適化アルゴリズムを利用してもよい。
【００３８】
図３を参照すると、通信３０４に続いて、３０３Ｃにおいて、加入者局１１０のコンテキスト初期化が起こり得る。コンテキスト初期化３０３Ｃの後で、３０５において、拡張認証プルトコル（ＥＡＰ）は、マスタセッションキー（ＭＳＫ）を含む多様なキーの生成及び交換を促進してもよい。この後に、３０６において、拡張認証プルトコル（ＥＡＰ）成功が続く。
【００３９】
３０６におけるＥＡＰ成功の後で、加入者局１１０及びネットワークゲートウェイは、認証キーを生成及び送信してもよい：３０７。認証キーの交換の後で、加入者局１１０及び基地局１０８ａは、暗号適合及びセキュリティ情報等のセキュリティ関連（ＳＡ）情報を生成及び送信してもよい：３０８。基地局１０８ａはまた、データ暗号化を促進するために、トランスポート暗号キー（ＴＥＫ）を生成及び送信してもよい。ＴＥＫは、基地局１０８ａによってランダムに生成されてもよい。
【００４０】
３０８におけるＳＡ及びＴＥＫの生成及び送信の後で、加入者局１１０は、基地局１０８ａを相手にＩＥＥＥ ８０２．１６ｅ登録３０９ａを実行してもよい。さらに、基地局１０８ａは、ネットワークゲートウェイ３０９ｂを相手に登録をしてもよい：３０９ｂ。登録の後で、加入者局１１０は、ダイナミックサービス追加リクエスト（ＤＳＡ−ＲＥＱ）、応答及びアクノレッジメントを介して、基地局１０８ａとの接続を確立してもよい：３１０ａ。さらに、基地局１０８ａは、Ｒ６シグナリング３１０ｂを介して、ネットワークゲートウェイ１０６ａとのデータパスを確立してもよい。このシグナリング図は、１つの考えられるネットワークゲートウェイ選択処理を説明する役割を果たすことを意図しているに過ぎない。当業者であれば、本開示の範囲を逸脱しない範囲において、より多い又はより少ない信号が利用され得ることは理解できるであろう。
【００４１】
図４及び５に、多様な形態に準じた、基地局リロケーションのシグナリング図を示す。図４のシグナリングは、ハンドオーバ準備段階に関連し、図５のシグナリングは、ハンドオーバ実行段階に関連してもよい。
【００４２】
通信４０１が加入者局からサービス提供基地局（ＳＢＳ）に送信されてもよい。多様な形態において、サービス提供基地局は、移動局ハンドオーバリクエスト（ＭＯＢ−ＭＳＨＯ−ＲＥＱ）メッセージ等のハンドオーバリクエスト４０１を受信してもよい。多様な形態では、ハンドオーバリクエスト４０１は、１つ以上の推奨近隣基地局についての情報を含んでもよい。
【００４３】
移動局ハンドオーバリクエストメッセージ４０１を受信した後で、サービス提供基地局は、ターゲット基地局（ＴＢＳ）が受信し得るハンドオフリクエスト４０２を送信してもよい。多様な形態では、ハンドオフリクエスト４０２は、Ｒ８信号であってもよく、サービス提供基地局に関連付けられたネットワークゲートウェイの識別子を含んでもよい。識別されるアンカーネットワークゲートウェイは、通信ネットワーククラスタの複数のネットワークゲートウェイの１つであってもよい。多様な形態では、ハンドオフリクエスト４０２はまた、認証ネットワークゲートウェイとして機能するネットワークゲートウェイ等の別のネットワークゲートウェイの識別子を含んでもよい。
【００４４】
ハンドオフリクエスト４０２を受信すると、ターゲット基地局は、認証ネットワークゲートウェイ等のネットワークゲートウェイを相手に、コンテキスト検索動作４０３を開始してもよい。多様な形態では、通信４０３は、認証ネットワークゲートウェイからのコンテキスト検索手続きを推進してもよい。この形態においては、認証ネットワークゲートウェイはこのとき、サービスフローコンテキストを検索するために、アンカーネットワークゲートウェイと称され得る初めにサービスを提供しているネットワークゲートウェイとの通信が必要とされることもあるであろう。
【００４５】
あるいは、アンカーネットワークゲートウェイの指標は、ハンドオフリクエスト４０２の中に含まれおり、アンカーネットワークゲートウェイは、ターゲット基地局と同じクラスタ内にあるので、ターゲット基地局は、アンカーネットワークゲートウェイと直接通信してもよい。多様な形態において、識別子は、アンカーネットワークゲートウェイのＩＰアドレスであってもよく、又は、当技術分野で周知の他の識別子の何れかであってもよい。ターゲット基地局がハンドオフリクエスト４０２を、アンカーネットワークゲートウェイの指標を有するサービス提供基地局から受信した後で、ターゲット基地局及びアンカーネットワークゲートウェイは、予備登録及びコンテキスト検索４０４のために、Ｒ６シグナリングを利用してもよい。
【００４６】
多様な形態では、ターゲット基地局が認証ネットワークゲートウェイ又はアンカーネットワークゲートウェイからコンテキストを検索した後で、ターゲット基地局は、サービス提供基地局にハンドオフ応答４０５を送信してもよい。多様な形態では、ハンドオフ応答４０５は、Ｒ８シグナリングを介したものであってもよい。これに応じて、サービス提供基地局は、移動局ハンドオーバ応答４０６を加入者局に、ハンドオフアクノレッジメント４０７をターゲット基地局に送信してもよい。
【００４７】
図５に、多様な形態に準じた、基地局リロケーションハンドオーバ実行段階を示すシグナリング図を示す。通信５０１において、加入者局は、サービス提供基地局に、モバイルハンドオフ指標（ＭＯＢ＿ＨＯ−ＩＮＤ）を送信してもよい。通信５０１に応えて、サービスを提供する基地局は、ターゲット基地局にハンドオーバ確認（ＨＯ−ＣＮＦ）５０２を送信してもよい。多様な形態において、ＨＯ−ＣＮＦ５０２は、ＩＰアドレス等の、アンカーネットワークゲートウェイ及び／又は認証ネットワークゲートウェイの識別子又は指標を含んでもよい。ＨＯ−ＣＮＦ５０２は、Ｒ８インターフェースを介してなされてもよい。これに応えて、ターゲット基地局１０８ｂは、サービス提供基地局１０８ａにハンドオーバアクノレッジメント５０３を送信してもよい。
【００４８】
ターゲット基地局がハンドオーバアクノレッジメント５０３によってハンドオーバの受信確認をした後で、コンテキスト検索手続きが、図４に関連して先に説明したハンドオーバ準備段階において実行されなかった場合には、ターゲット基地局は、認証ネットワークゲートウェイを相手に、コンテキスト検索手続き５０４を実行してもよい。あるいは、コンテキスト検索手続き５０４を用いるよりもむしろ、データパス予備登録手続きが、図４に関連して先に説明したハンドオーバ準備段階において実行されなかった場合には、ターゲット基地局は、アンカーネットワークゲートウェイを相手に、データパス予備登録手続き５０５を実行してもよい。
【００４９】
通信５０４又は５０５の終了後に、必要であれば、加入者局は、ターゲット基地局を相手に、レンジング及びネットワークエントリ５０６を実行してもよい。次に、ターゲット基地局は、アンカーネットワークゲートウェイにターゲット基地局を登録するために、アンカーネットワークゲートウェイ１０６ａを直接相手にして、登録及びコンテキスト検索５０７を実行してもよい。
【００５０】
多様な形態では、ターゲット基地局は、登録及びコンテキスト検索５０７を実行するために、Ｒ６インターフェースを介してアンカーネットワークゲートウェイに信号を送ってもよい。登録及びコンテキスト検索５０７の後で、ターゲット基地局は、多様なキーを更新するためにキー更新手続き５０８を行なってもよい。多様な形態では、ターゲット基地局は、認証ネットワークゲートウェイ及びアンカーネットワークゲートウェイの両方を相手にキーを更新してもよい。さらに、アンカーネットワークゲートウェイ及びサービス提供基地局は、互いに登録を抹消してもよい：５０９。ハンドオーバ処理は、ターゲット基地局がハンドオーバ終了（ＨＯ−Ｃｏｍｐｌｅｔｅ）メッセージ５１０をサービス提供基地局１０８ａに送信し、アクノレッジメント５１１を受信したときに終了し得る。
【００５１】
繰り返すが、図４及び５のハンドオフ信号図は、限定することを意図するものではない。当業者であれば、本開示の範囲を逸脱しない範囲において、より多い又はより少ない信号を用い得ること、若しくは、信号の変更がされ得ることは理解できるであろう。先に述べたように、サービス提供基地局は、加入者局ハンドオーバの間に、ターゲット基地局に、アンカーネットワークゲートウェイのＩＰアドレスを提供してもよい。ターゲット基地局が、サービス提供基地局と同じクラスタ内にある場合、ターゲット基地局は、アンカーネットワークゲートウェイを相手にダイレクト通信リンクを確立してもよい。あるいは、ターゲット基地局は、サービス提供ネットワークゲートウェイを介して、アンカーネットワークゲートウェイとのデータパスを確立してもよい。このようにして、サービス提供ネットワークゲートウェイは、Ｒ４データパス等のリレーとして機能してもよい。
【００５２】
図６及び７に、多様な形態に準じた、信号図を示す。信号図は、ネットワークゲートウェイリロケーションの多様な形態を示し得る。ネットワークゲートウェイリロケーションは、基地局又はネットワークゲートウェイの何れかによって始動されてもよく、以下に限定されないが、ネットワークゲートウェイが過負荷になったこと、加入者局がクラスタ境界を越えたこと、オペレータ始動負荷バランシング、又は、新たなネットワークゲートウェイがネットワークに入ったこと等を含む多様なイベントに応えて起こってもよい。多様な形態において、新たなネットワークゲートウェイが、Ｒ４トンネルを介してサービス提供ネットワークゲートウェイと常に通信する必要性がもはや無くなるので、ネットワークゲートウェイリロケーションにより、より効率的なネットワークを促進し得る。ターゲット基地局に対するコンテキストのリロケーションにより、加入者局に、過負荷又は非効率のネットワークゲートウェイとの通信を終わらせることができるであろう。
【００５３】
図６に、基地局始動ネットワークゲートウェイリロケーションの形態を示す。当シグナリング図は、基地局等のサービス提供基地局と、ネットワークゲートウェイ等のソースネットワークゲートウェイと、ネットワークゲートウェイ等のターゲットネットワークゲートウェイとの間で送信及び受信される多様な信号を示している。その他の要素がまた、リロケーションに関して加えられてもよいが、明確性の観点から、他の要素は含めていない。
【００５４】
ネットワークゲートウェイリロケーションは、クラスタ内の複数のネットワークゲートウェイのうちのソースネットワークゲートウェイに対してネットワークゲートウェイ選択リクエスト６０１を送信している加入者局にサービスを目下提供している基地局によって開始されてもよい。ネットワークゲートウェイ選択リクエスト６０１は、目下使用されているネットワークゲートウェイの後を継ぐために、ターゲットネットワークゲートウェイ等の新たなネットワークゲートウェイに対するリクエスト含んでもよい。多様な形態では、ネットワークゲートウェイ選択リクエスト６０１は、少なくともネットワーク状態に基づいて、複数のネットワークゲートウェイのうちのターゲットネットワークゲートウェイに送信されてもよい。例えば、基地局は、ネットワークゲートウェイから過去に受信したアルゴリズム及び負荷情報を用いて、ターゲットネットワークゲートウェイを決定してもよい。多様な形態において、負荷情報は、基地局において直近に更新されたものであり得る。
【００５５】
ネットワークゲートウェイ選択リクエスト６０１を受信した後で、ターゲットネットワークゲートウェイは、ネットワークゲートウェイ選択応答６０２を用いて応答してもよい。多様な形態において、ネットワークゲートウェイ選択応答６０２は、加入者局のサービス提供を引き継ぐ複数のネットワークゲートウェイのうちのターゲットネットワークゲートウェイの識別子を含んでもよい。
【００５６】
ネットワークゲートウェイ選択応答６０２を受信した後で、サービス提供基地局及びターゲットネットワークゲートウェイは、登録目的のために、Ｒ６インターフェースを介して通信６０３をやりとりしてもよい。登録の後に、サービス提供ネットワークゲートウェイは、ターゲットネットワークゲートウェイにコンテキストを転送するために、ターゲットネットワークゲートウェイを相手に、コンテキスト転送交換６０４に携わってもよく、サービス提供基地局は、サービス提供ネットワークゲートウェイに登録を取り消すために、サービス提供ネットワークゲートウェイを相手に、登録抹消通信６０５に携わってもよい。
【００５７】
図７に、ネットワークゲートウェイ始動（ＮＧＴ）ネットワークゲートウェイリロケーションの形態を示す。多様な形態において、ネットワークゲートウェイは、１つのクラスタに対するマスタネットワークゲートウェイであってもよい。マスタネットワークゲートウェイは、クラスタ内の多様なネットワークゲートウェイから負荷情報を定期的に受信してもよく、ネットワークゲートウェイリロケーションが保証されかどうかを判定する１つ以上のアルゴリズムを用いてもよい。
【００５８】
ＮＧＴネットワークゲートウェイリロケーションは、ターゲットネットワークゲートウェイにコンテキストを転送するために、コンテキスト転送７０１において、ターゲットネットワークゲートウェイに従事しているサービス提供ネットワークゲートウェイによって開示されてもよい。コンテキスト転送７０１の後で、サービス提供ネットワークゲートウェイは、サービス提供基地局に対して、ネットワークゲートウェイ更新コマンド７０２を送信してもよい。多様な形態において、ネットワークゲートウェイ更新コマンド７０２は、例えば、ターゲットネットワークゲートウェイのＩＰアドレス等のターゲットネットワークゲートウェイの識別子を含んでもよい。ネットワークゲートウェイ更新コマンド７０２を受信した後で、サービス提供基地局は、サービス提供ネットワークゲートウェイにアクノレッジメント７０３を送信してもよい。
【００５９】
アクノレッジメント７０３の送信の後で、サービス提供基地局は、ターゲットネットワークゲートウェイを相手に登録動作７０４を行ってもよく、そして最後に、サービス提供基地局は、サービス提供ネットワークゲートウェイを相手に登録抹消動作７０５を行ってもよい。これにより、ネットワークゲートウェイ始動ネットワークゲートウェイリロケーションは終了し得る。
【００６０】
図８に、データパス修正手続きの形態を示す。データパス修正は、データパスの１つ以上の特性を向上する（例えば最適化する）ために、加入者局のアンカーネットワークゲートウェイとサービス提供基地局との間のデータパスを修正するために用いられてもよい。これは、例えば、サービス提供ネットワークゲートウェイをデータパスから取り除いてもよく、これにより、アンカーネットワークゲートウェイとサービス提供基地局との間でダイレクトデータパスが確立される。多様な形態において、データパス修正手続きは、サービス提供基地局、アンカーネットワークゲートウェイ又はサービス提供ネットワークゲートウェイによって始動されてもよい。
【００６１】
多様な形態において、データパス修正手続きが始動される前に、加入者局のアンカーネットワークゲートウェイからサービス提供基地局へのデータパス８０１は、サービス提供ネットワークゲートウェイに中継されてもよい。サービス提供ネットワークゲートウェイとアンカーネットワークゲートウェイとの間の通信リンクにより、アンカーネットワークゲートウェイは、データパス修正手続き８０２を始動してもよい。また、先に述べたとおり、その他の多様な通信デバイスによって、データパス修正手続きが始動されてもよい。
【００６２】
データパス修正手続き８０２を推進した後で、アンカーネットワークゲートウェイは、データパス登録トランザクション８０３〜８０５を用いて、サービス提供基地局とのダイレクトデータパス８０６を確立してもよい。多様な形態において、トランザクション８０３〜８０５は、データパス登録リクエスト、データパス登録応答及びデータパス登録アクノレッジメントを含んでもよい。
【００６３】
サービス提供基地局とアンカーネットワークゲートウェイとの間のデータパスを確立した後で、サービス提供基地局は、サービス提供ネットワークゲートウェイと自身とのデータパスの登録を抹消するために、サービス提供ネットワークゲートウェイを相手に、登録抹消動作８０７〜８０９を行ってもよい。多様な形態では、登録抹消動作８０７〜８０９は、パス登録抹消リクエスト、パス登録抹消応答及びパス登録抹消アクノレッジメントの送信及び／又は受信を含んでもよい。続いて又は同時に、サービス提供ゲートウェイは、アンカーネットワークゲートウェイと自身とのデータパスを登録抹消８１０〜８１２してもよい。多様な形態において、登録抹消８１０〜８１２は、パス登録抹消リクエスト、パス登録抹消応答、及びパス登録抹消アクノレッジメントを含んでもよい。最適化手続きが終了すると、サービス提供ネットワークゲートウェイとアンカーネットワークゲートウェイとの間のＲ４データパスはもはや必要でなくなる。
【００６４】
特定の形態をここで記載及び説明してきたが、当業者であれば、幅広い種類の変更及び／又は同等の形態、又は、同じ目的を達成するように計画された実装が、本範囲を逸脱しない範囲において、図示／記載された形態の代用とされ得ることは理解できるであろう。複数の形態が、非常に幅広い種類のやり方で実行され得ることは当業者であれば容易に理解できるであろう。本出願は、ここに記した形態の改良又は変更を含むことを意図している。よって、本願の形態は、請求項及びその同等物のみによって限定されることを明らかに意図している。
【図１】
0005676601.tif 000002
【図２】
0005676601.tif 000003
【図３】
0005676601.tif 000004
【図４】
0005676601.tif 000005
【図５】
0005676601.tif 000006
【図６】
0005676601.tif 000007
【図７】
0005676601.tif 000008
【図８】
0005676601.tif 000009